(57)【要約】【課題】継手管の接続部において流路内を流れる汚物やトイレットペーパー等の排出物が引っ掛かり、排水配管内が詰まることを抑制することができる排水配管を提供することを目的とする。【解決手段】継手管１０は、流路上流端の内径Ｄ２が横引配管２の下流端２ａの内径Ｄ１よりも大きく、且つ、流路下流端の内径Ｄ３が横引配管３の上流端３ａの内径Ｄ４よりも小さくなるように流路が形成されている。【選択図】図３
2019070231.tif 000002
【特許請求の範囲】
【請求項１】
上流から下流に向けて下方へ傾斜する勾配を有し、便器から排出された排出物が流路内を流れる排水配管であって、
上流側配管と、この上流側配管よりも下流側に配置される下流側配管と、上記上流側配管と上記下流側配管とを接続する継手管と、を備えており、
上記上流側配管および上記下流側配管は、上記継手管に内挿されることで上記継手管と接続されており、
上記継手管は、流路上流端の内径が上記上流側配管の下流端の内径よりも大きく、且つ、流路下流端の内径が上記下流側配管の上流端の内径よりも小さいことを特徴とする排水配管。
【請求項２】
上記継手管は、少なくとも、流路下流端の下端部が上記下流側配管の上流端の内側下端部よりも上方に位置することを特徴とする請求項１に記載の排水配管。
【請求項３】
上記継手管は、少なくとも、流路上流端の下端部が上記上流側配管の下流端の内側下端部よりも下方に位置することを特徴とする請求項１又は２に記載の排水配管。
【発明の詳細な説明】
【技術分野】
【０００１】
本発明は、排水配管に係り、特に、上流から下流に向けて下方へ傾斜する勾配を有し、便器から排出された排水が流路内を流れる排水配管に関する。
【背景技術】
【０００２】
従来から、上流から下流に向けて下方へ傾斜する勾配が設けられ、便器の排水口に接続される排水配管が知られている（例えば、特許文献１）。
こういった排水配管は、便器から排出された尿および汚物の混じった排水や、トイレットペーパーなどが流路内に流れ込み、設けられた勾配によって排水やトイレットペーパーなどを下流側に流す。
【先行技術文献】
【特許文献】
【０００３】
【特許文献１】特開２０１７―５３２０４号公報
【発明の概要】
【発明が解決しようとする課題】
【０００４】
上述したような排水配管においては、便器の排水口と建物の配管を接続したり、建物の配管同士を接続したりするために、それらを連結する継手管が設けられている。
しかし、この継手管の内径にバラつきが生じ、継手管と建物の配管との接続部に隙間や流れの抵抗となるような段差が生じると、流路内を流れる汚物やトイレットペーパーがこの隙間や段差に引っ掛かることで排水配管内の詰まりが発生してしまうおそれがある。
【０００５】
本発明は、上述した問題を解決するためになされたものであり、継手管の接続部において流路内を流れる汚物やトイレットペーパー等の排出物が引っ掛かり、排水配管内が詰まることを抑制することができる排水配管を提供することを目的とする。
【課題を解決するための手段】
【０００６】
本発明の一態様に係る排水配管は、上流から下流に向けて下方へ傾斜する勾配を有し、便器から排出された排出物が流路内を流れる排水配管であって、上流側配管と、この上流側配管よりも下流側に配置される下流側配管と、上記上流側配管と上記下流側配管とを接続する継手管と、を備えており、上記上流側配管および上記下流側配管は、上記継手管に内挿されることで上記継手管と接続されており、上記継手管は、その流路上流端の内径が上記上流側配管の下流端の内径よりも大きく、且つ、その流路下流端の内径が上記下流側配管の上流端の内径よりも小さいことを特徴とする。
【０００７】
この構成によれば、継手管は、流路上流端の内径が上流側配管の下流端の内径よりも大きく、且つ、流路下流端の内径が下流側配管の上流端の内径よりも小さいため、継手管の接続部において流路内を流れる汚物やトイレットペーパー等の排出物が引っ掛かり、排水配管内が詰まることを抑制することができる。
【０００８】
本発明の一態様に係る排水配管において、好ましくは、上記継手管は、少なくとも、その流路下流端の下端部が上記下流側配管の上流端の内側下端部よりも上方に位置する。
【０００９】
この構成によれば、継手管は、少なくとも、流路下流端の下端部が下流側配管の上流端の内側下端部よりも上方に位置するため、継手管の接続部において流れの抵抗となるような段差は存在しないことから、継手管の接続部において流路内を流れる汚物やトイレットペーパー等の排出物が引っ掛かり、排水配管内が詰まることを抑制することができる。
【００１０】
本発明の一態様に係る排水配管において、好ましくは、上記継手管は、少なくとも、その流路上流端の下端部が上記上流側配管の下流端の内側下端部よりも下方に位置する。
【００１１】
この構成によれば、継手管は、少なくとも、流路上流端の下端部が上流側配管の下流端の内側下端部よりも下方に位置するため、継手管の接続部において流れの抵抗となるような段差は存在しないことから、継手管の接続部において流路内を流れる汚物やトイレットペーパー等の排出物が引っ掛かり、排水配管内が詰まることを抑制することができる。
【発明の効果】
【００１２】
本発明の排水配管によれば、継手管の接続部において流路内を流れる汚物やトイレットペーパー等の排出物が引っ掛かり、排水配管内が詰まることを抑制することができる。
【図面の簡単な説明】
【００１３】
【図１】本発明の一実施形態による排水配管が適用されたトイレシステムの上面図である。
【図２】本発明の一実施形態による排水配管が適用されたトイレシステムの背面図である。
【図３】本発明の一実施形態による継手管１０付近の流路断面拡大図である。
【発明を実施するための形態】
【００１４】
以下、本発明の実施の形態について添付図面を参照しながら説明する。なお、各図面中、同様の構成要素には同一の符号を付して詳細な説明は適宜省略する。
【００１５】
＜トイレシステムの構成＞
まず、図１及び図２により、本発明の一実施形態による排水配管が適用されるトイレシステムについて説明する。
図１は、本発明の一実施形態による排水配管が適用されたトイレシステムの上面図である。図２は、本発明の一実施形態による排水配管が適用されたトイレシステムの背面図である。
なお、図１〜３において、排水配管１の流路内の水の流れ方向が、Ａ１で示されている。
【００１６】
図１及び図２に示すように、本発明の一実施形態による排水配管１が適用されたトイレシステムＳは、トイレルーム内に設置される複数の大便器１００，２００，３００と、この連立して設置された複数の大便器１００，２００，３００の排水口に接続されて、大便器１００，２００，３００から排出された排出物が流路内を流れる排水配管１と、を備えている。
なお、ここでいう「排出物」とは、使用者が大便器に排泄した汚物や尿の混じった排水、大便器から流されて汚物や尿の混じっていない排水、使用者が排泄の際に使用して大便器に流したトイレットペーパーなど、大便器１００，２００，３００から排水配管１内へ流されてきたもの全てを含む。
【００１７】
＜排水配管の構成＞
次に、図１〜３により、本発明の一実施形態による排水配管について説明する。図３は、本発明の一実施形態による継手管１０付近の流路断面拡大図である。
【００１８】
図１及び図２に示すように、排水配管１は、上流（左方）から下流（右方）に向けて下方へ傾斜する勾配を有し、大便器１００，２００，３００から排出された排出物が流路内を流れるものであり、横引配管２，３，４，５と、便器側排出管６，７，８と、継手管１０，２０，３０と、を備えている。
【００１９】
横引配管２，３，４，５は、略左右方向に一直線上に延びる配管であり、上流（左方）から下流（右方）に向かって下降する下り傾斜が設けられている。この横引配管２，３，４，５は、継手管１０，２０，３０の少なくともいずれかを介して、便器側排出管６，７，８の少なくともいずれかに接続されている。
【００２０】
便器側排出管６，７，８は、上流側が便器１００，２００，３００の少なくともいずれかの排水口に接続されており、下流側が継手管１０，２０，３０の少なくともいずれかに接続されている。これにより、大便器１００，２００，３００から排出された排出物は、便器側排出管６，７，８の少なくともいずれかを介して、排水配管１の下流側へ流下する。
【００２１】
＜継手管の構成＞
続いて、図３により、継手管の構成について説明する。ここでは、継手管１０を具体例として説明する。図３は、本発明の一実施形態による継手管１０付近の流路断面拡大図である。
【００２２】
図３に示すように、継手管１０には、上流側配管としての横引配管２および下流側配管としての横引配管３が内挿されている。具体的には、横引配管２の下流端２ａが継手管１０の上流側接続部１１の内側に挿入され、横引配管３の上流端３ａが継手管１０の下流側接続部１３の内側に挿入されている。
【００２３】
継手管１０は、流路上流端の内径Ｄ２が横引配管２の下流端２ａの内径Ｄ１よりも大きく、且つ、流路下流端の内径Ｄ３が横引配管３の上流端３ａの内径Ｄ４よりも小さくなるように流路が形成されている。そして、継手管１０の流路は、上流側から下流側に向けて内径が徐々に小さくなるように形成されている。
言い換えると、継手管１０と横引配管２が接続された状態において、継手管１０の流路上流端の開口内面は、横引配管２の下流端２ａの開口内面よりも外側に位置しており、継手管１０と横引配管３が接続された状態において、継手管１０の流路下流端の開口内面は、横引配管３の上流端３ａの開口内面よりも内側に位置している。
【００２４】
継手管１０の流路下流端の下端部１０ｂは、横引配管３の上流端３ａの内側下端部３ｂよりも上方に位置する。また、継手管１０の流路上流端の下端部１０ａは、横引配管２の下流端２ａの内側下端部２ｂよりも下方に位置する。
【００２５】
続いて、横引配管２，３および継手管１０の流路内を流れる排出物の流れについて説明する。
図３に示すように、横引配管２から下流側に向けて排出物が流れるとき、配管内の水位が図３に示すＷＬまで上昇し、トイレットペーパーＴ等を含め横引配管２，３および継手管１０の流路内の下方側の面に沿って下流へと流れる。
【００２６】
上述したように、継手管１０は、流路上流端の内径Ｄ２が横引配管２の下流端２ａの内径Ｄ１よりも大きく、継手管１０の流路上流端の下端部１０ａは、横引配管２の下流端２ａの内側下端部２ｂよりも下方に位置する。そのため、上流側から下流側への流れとして見ると、横引配管２と継手管１０との間には流れの抵抗となるような段差は存在しないことから、横引配管２内を流下するトイレットペーパーＴは横引配管２から継手管１０へスムーズに流れ込む。
【００２７】
また、これも上述したように、継手管１０は、流路下流端の内径Ｄ３が横引配管３の上流端３ａの内径Ｄ４よりも小さく、継手管１０の流路下流端の下端部１０ｂは、横引配管３の上流端３ａの内側下端部３ｂよりも上方に位置する。そのため、上流側から下流側への流れとして見ると、継手管１０と横引配管３との間には流れの抵抗となるような段差は存在しないことから、継手管１０内を流下するトイレットペーパーＴは継手管１０から横引配管３へスムーズに流れ込む。
【００２８】
以上のとおり、横引配管２から継手管１０を介して横引配管３へと流れるトイレットペーパーＴは、それぞれの接続部において引っ掛かることなく、スムーズに流下することができる。
【００２９】
なお、上述では継手管１０を例として説明したが、継手管２０，３０も継手管１０と同様の構成を備えている。ただし、継手管１０においては、横引配管２が本発明における「上流側配管」であり、横引配管３が本発明における「下流側配管」であるが、継手管２０においては、横引配管３が本発明における「上流側配管」となり、横引配管４が本発明における「下流側配管」となる。また、継手管３０においては、横引配管４が本発明における「上流側配管」となり、横引配管５が本発明における「下流側配管」となる。
【００３０】
＜作用効果＞
つぎに、上述した本発明の一実施形態による排水配管１における作用効果について説明する。
まず、本発明の一実施形態による排水配管１によれば、継手管１０は、流路上流端の内径Ｄ２が横引配管２の下流端２ａの内径Ｄ１よりも大きく、且つ、流路下流端の内径Ｄ３が横引配管３の上流端３ａの内径Ｄ４よりも小さくなるように流路が形成されている。これにより、横引配管２，３と継手管１０との接続部において、トイレットペーパー等の排出物が引っ掛かり、排水配管１内が詰まることを抑制することができる。
【００３１】
また、継手管１０の流路下流端の下端部１０ｂは、横引配管３の上流端３ａの内側下端部３ｂよりも上方に位置する。そのため、上流側から下流側への流れとして見ると、継手管１０と横引配管３との間には流れの抵抗となるような段差は存在しないことから、横引配管３と継手管１０との接続部において、トイレットペーパー等の排出物が引っ掛かり、排水配管１内が詰まることを抑制することができる。
【００３２】
また、継手管１０の流路上流端の下端部１０ａは、横引配管２の下流端２ａの内側下端部２ｂよりも上方に位置する。そのため、上流側から下流側への流れとして見ると、横引配管２と継手管１０との間には流れの抵抗となるような段差は存在しないことから、横引配管２と継手管１０との接続部において、トイレットペーパー等の排出物が引っ掛かり、排水配管１内が詰まることを抑制することができる。
【００３３】
＜変形例＞
なお、上述した実施形態の継手管１０においては、横引配管２の下流端２ａと接続される部分が上流側接続部１１としたが、継手管１０は分岐しているため、便器側排出管６の下流端と接続される部分についても、「上流側接続部」の一つとして見なすことができる。そして、この便器側排出管６の下流端と接続される継手管１０の上流側接続部１５についても、上流側接続部１１と同様の構成をとることにより、便器側排出管６と継手管１０との接続部における排出物の引っ掛かりを抑制することができる。
【００３４】
また、上述した実施形態においては、大便器１００，２００，３００の排水口に接続される排水配管としたが、本発明はこれに限らず、小便器の排水口に接続される排水配管に適用してもよい。
【００３５】
前述した各実施の形態が備える各要素は、技術的に可能な限りにおいて組み合わせることができ、これらを組み合わせたものも本発明の特徴を含む限り本発明の範囲に包含される。
【符号の説明】
【００３６】
１        排水配管
２        横引配管（上流側配管）
２ａ      横引配管２の下流端
２ｂ      横引配管２の下流端２ａの内側下端部
３        横引配管（上流側配管もしくは下流側配管）
３ａ      横引配管３の上流端
３ｂ      横引配管３の上流端３ａの内側下端部
４        横引配管（上流側配管もしくは下流側配管）
５        横引配管（下流側配管）
６        便器側排出管
７        便器側排出管
８        便器側排出管
１０      継手管
１０ａ    継手管１０の流路上流端の下端部
１０ｂ    継手管１０の流路下流端の下端部
１１      継手管１０の上流側接続部
１３      継手管１０の下流側接続部
１５      継手管１０の上流側接続部
２０      継手管
３０      継手管
１００    大便器
２００    大便器
３００    大便器
Ｓ        トイレシステム
Ａ１      排水配管１の流路内の水の流れ方向
Ｄ１      横引配管２の下流端２ａの内径
Ｄ２      継手管１０の流路上流端の内径
Ｄ３      継手管１０の流路下流端の内径
Ｄ４      横引配管３の上流端３ａの内径
Ｔ        トイレットペーパー
【図１】
2019070231.tif 000003
【図２】
2019070231.tif 000004
【図３】
2019070231.tif 000005